(57)【特許請求の範囲】
【請求項１】
画像信号処理装置と、
通信回線と、
前記通信回線を媒介して前記画像信号処理装置に接続された端末装置とを備え、
前記画像信号処理装置は、
各画面の画像領域のうち、有効画像領域とその周囲に位置し、走査のブランク期間に対応する領域であるブランク領域の少なくとも一部とを含む領域について、画像信号を圧縮し、圧縮画像信号として出力する画像圧縮部と、
前記有効画像領域を指示する領域情報を前記圧縮画像信号へ付加する領域情報設定部とを備え、
前記領域情報設定部は、前記有効画像領域のみを再生すべきか、前記少なくとも一部を含めて再生すべきかを指示する指示値を、前記領域情報の一部として前記圧縮画像信号へ付加し、
前記端末装置は、
前記領域情報が付加された前記圧縮画像信号から前記領域情報を読み取る領域情報読み取り部と、
前記領域情報読み取り部が読み取った前記領域情報にもとづいて、前記圧縮画像信号のうちの有効画像領域のみに対応した伸張画像信号と前記少なくとも一部を含めた伸張画像信号とのいずれかを選択的に得る画像再生部とを備える、
画像配信システム。
【発明の詳細な説明】
【０００１】
【発明の属する技術分野】
この発明は、デジタルビデオレコーダへの利用に好適な画像信号処理装置、当該画像信号処理装置に接続して使用に供される端末装置、およびそれらが通信回線を通じて接続されてなる画像配信システム関する。
【０００２】
【従来の技術】
図１５は、従来技術による監視システムの構成の一例を示すブロック図である。この監視システムは、複数箇所の監視を可能にするもので、複数のビデオカメラＣ１〜Ｃｎ、フレームスイッチャ１、モニタ４、およびタイムラプスビデオ９を備えている。フレームスイッチャ１は、監視対象とされる複数箇所に配置されたビデオカメラＣ１〜Ｃｎの一括制御を可能にしている。すなわち、フレームスイッチャ１は、複数のビデオカメラＣ１〜Ｃｎが送信する画像信号Ｐ１を、フレーム毎に順に切り替えて、一続きの画像信号にまとめる機能（マルチプレクス機能と称される）を持っている。フレームスイッチャ１を用いることによって、単一の画像入力端子しか持たないタイムラプスビデオ９が、複数の画像信号Ｐ１を記録することが可能となっている。タイムラプスビデオ９は、画像信号をビデオテープにアナログ形式で長時間にわたって記録可能な録画装置であり、フレームスイッチャ１に接続されることにより、フレームスイッチャ１から送られる画像信号Ｐ２を記録する。
【０００３】
タイムラプスビデオ９に記録された画像信号を再生するときには、ビデオテープから読み出された画像信号Ｐ３がフレームスイッチャ１へ送られる。フレームスイッチャ１は、画像信号Ｐ３にもとづいて画像信号Ｐ４をモニタ４へ送る。画像信号Ｐ４は、例えば複数のビデオカメラＣ１〜Ｃｎが得た複数の画像信号Ｐ１を、一画面に画面分割の形式で同時に表示する画像信号である。
【０００４】
フレームスイッチャ１は、タイムラプスビデオ９から画像信号Ｐ３を受信するときに、画像信号Ｐ３に含まれるカメラ番号情報を読み取る。カメラ番号情報は、フレームスイッチャ１が画像信号Ｐ２に付加して出力するもので、１フレームの画像信号のうち、有効画像領域以外の領域に重畳される。フレームスイッチャ１は、画像信号Ｐ３に含まれるカメラ番号情報にもとづいて、上記の画面分割表示を行ったり、あるいはオペレータが指示する特定のビデオカメラで撮像された画像を選択的に表示させることが可能となっている。
【０００５】
しかしながら、画像を記録する装置においても、デジタル化が進行しており、それに伴い、ハードディスク等にデジタル形式で画像信号を記録するデジタルビデオレコーダを、タイムラプスビデオ９に代えて使用しようという動きが現れている。図１６は、そのように構成された想定上の監視システムのブロック図である。図１６の監視システムでは、図１５のタイムラプスビデオ９が、デジタルビデオレコーダ１５１に置き換えられている。デジタルビデオレコーダ１５１は、フレームスイッチャ１から送られた画像信号をアナログ形式からデジタル形式へ変換した上で、ハードディスク等の記録媒体へ蓄積し、蓄積されている画像信号を、デジタル形式からアナログ形式へ変換した上で、フレームスイッチャ１へ送出する。
【０００６】
ビデオカメラＣ１〜Ｃｎが送信する画像信号、フレームスイッチャ１とデジタルビデオレコーダ１５１との間で受け渡される画像信号については、図１５と図１６との双方の監視システムの間で変わりはない。すなわち、ビデオカメラＣ１〜Ｃｎが送信するアナログ形式の画像信号の各フレームは、有効画像領域１１だけでなく、走査のブランク期間に相当するブランク領域をも含めた全体の画像領域１２をカバーしている。また、フレームスイッチャ１とデジタルビデオレコーダ１５１との間で受け渡されるアナログ形式の画像信号の各フレームも、画像領域１２をカバーしている。フレームスイッチャ１とデジタルビデオレコーダ１５１との間で受け渡される画像信号には、カメラ番号情報などの特定情報１３が文字・図形等の画像として記録されている。このように、フレームスイッチャ１との関係においては、デジタルビデオレコーダ１５１は、タイムラプスビデオ９の代替を十分に果たし得る。
【０００７】
【発明が解決しようとする課題】
ところが、デジタル装置としてのデジタルビデオレコーダ１５１の特性を生かして、インタネットなどの通信回線５を通じて端末装置３へデジタル形式の画像信号を配信するシステム、すなわち画像配信システム１５０を構築した場合には問題が生じる。なぜなら、フレームスイッチャ１あるいはモニタ４とは異なる構造を有するパーソナルコンピュータ等の端末装置３は、デジタル形式で記録された画像信号について、有効画像領域１１と全体の画像領域１２とを、互いに識別することができないからである。したがって、図１６が示すように、端末装置３が、通常において入力装置３０、本体部３１とともに備えるディスプレー３２の表示画面３３には、有効画像領域１１だけでなく、画像領域１２の全体が表示されてしまう。したがって、端末装置３のユーザにとって無用な特定情報１３までもが、表示画面３３に映し出されることとなる。
【０００８】
この発明は、従来の技術における上記した問題点を解消するためになされたもので、端末装置の側で有効画像領域のみを選択的に再生することを可能にする、画像配信システムを提供することを目的とする。
【０００９】
【課題を解決するための手段】
本発明の画像配信システムは、画像信号処理装置と、通信回線と、前記通信回線を媒介して前記画像信号処理装置に接続された端末装置とを備え、前記画像信号処理装置は、各画面の画像領域のうち、有効画像領域とその周囲に位置し、走査のブランク期間に対応する領域であるブランク領域の少なくとも一部とを含む領域について、画像信号を圧縮し、圧縮画像信号として出力する画像圧縮部と、前記有効画像領域を指示する領域情報を前記圧縮画像信号へ付加する領域情報設定部とを備え、前記領域情報設定部は、前記有効画像領域のみを再生すべきか、前記少なくとも一部を含めて再生すべきかを指示する指示値を、前記領域情報の一部として前記圧縮画像信号へ付加し、前記端末装置は、前記領域情報が付加された前記圧縮画像信号から前記領域情報を読み取る領域情報読み取り部と、前記領域情報読み取り部が読み取った前記領域情報にもとづいて、前記圧縮画像信号のうちの有効画像領域のみに対応した伸張画像信号と前記少なくとも一部を含めた伸張画像信号とのいずれかを選択的に得る画像再生部とを備える。
【００１７】
【発明の実施の形態】
実施の形態１．
図１は、実施の形態１による画像配信システムの構成を示すブロック図である。この画像配信システム１００は、フレームスイッチャ１、デジタルビデオレコーダとして構成された画像信号処理装置２、端末装置３、モニタ４、通信回線５、および、ビデオカメラＣ１〜Ｃｎを備えている。フレームスイッチャ１、モニタ４、通信回線５、および、ビデオカメラＣ１〜Ｃｎは、従来の画像配信システム１５０（図１６）の対応する要素と同等であるので、それらについての詳細な説明は略する。
【００１８】
（画像信号処理装置）
画像信号処理装置２は、従来のデジタルビデオレコーダ１５１と同様に、フレームスイッチャ１に接続して使用可能であると同時に、通信回線５を媒介して端末装置３とも通信可能なように構成されている。通信回線５の一例は、ＬＡＮあるいはインタネット等のネットワークである。
【００１９】
図２は、画像信号処理装置２の構成を示すブロック図である。画像信号処理装置２は、デジタルビデオデコーダ２０、画像圧縮部２１、画像転送部２２、メモリ２３、記録部２４、制御・領域情報設定部２５、画像伸張部２６、デジタルビデオエンコーダ２７、インタフェース２８、およびバスライン２９を備えている。
【００２０】
デジタルビデオデコーダ２０は、フレームスイッチャ１から送られるアナログ形式の画像信号（例えば、ＮＴＳＣ信号）を、デジタル形式の画像信号へ変換する。画像圧縮部２１は、デジタルビデオデコーダ２０が出力するデジタル画像信号を圧縮する。後述するように画像圧縮部２１は、有効画像領域以外の領域の画像信号をも圧縮可能に構成されている。画像転送部２２は、各要素２０〜２８の間での信号の転送を制御する。記録部２４は、圧縮部２１が出力する圧縮画像信号を蓄積する要素であり、例えばハードディスクである。すなわち記録部２４は、機能の上で、従来のタイムラップスビデオ９（図１５）に装着されるビデオテープに対比される。
【００２１】
制御・領域情報設定部２５は、例えばプログラム（ソフトウェア）にもとづいて動作するＣＰＵで構成され、各要素２０〜２４，２６〜２８を制御する制御部としての機能と、後述する領域情報設定部としての機能とを果たしている。制御・領域情報設定部２５は、ＣＰＵに代えて、ハードウェアのみで構成されるＬＳＩで構成されても良い。
【００２２】
画像伸張部２６は、画像圧縮部２１が出力する圧縮画像信号、または記録部２４に蓄積されている圧縮画像信号を伸張する。デジタルビデオエンコーダ２７は、画像伸張部２６が出力する伸張画像信号を、デジタル形式からアナログ形式へ変換する。デジタルビデオエンコーダ２７が出力するアナログ画像信号（例えば、ＮＴＳＣ信号）は、フレームスイッチャ１へ入力される。インタフェース２８は、通信回線５に接続されることにより、通信回線５を媒介して端末装置３との通信を行う。画像圧縮部２１が出力する圧縮画像信号、または記録部２４に蓄積されている圧縮画像信号は、インタフェース２８によりパケット形式へ変換された後、端末装置３へ配信される。
【００２３】
メモリ２３は、画像圧縮部２１および画像伸張部２６による処理の過程で一時的に画像信号を保持するためのワークメモリである。制御・領域情報設定部２５がＣＰＵで形成される場合には、メモリ２３はＣＰＵの動作を規定するプログラムを格納するメモリとしても機能する。画像信号処理装置２に含まれる要素２０〜２８は、それらのいくつか、あるいは一つ一つが単一の半導体チップ（ＬＳＩまたはシステムＬＳＩ）で構成されても良く、全体が単一の半導体チップ（システムＬＳＩ）で構成されても良い。
【００２４】
図３は、機能に注目して表現した画像信号処理装置２のブロック図であり、図４〜図６は、画像信号処理装置２の動作説明図である。フレームスイッチャ１が出力するアナログ画像信号、およびデジタルビデオデコーダ２０が出力するデジタル画像信号の各画面（各フレーム）は、図４が示すように、有効画像領域１１だけでなく、その周囲に位置するブランク領域１４をも含む全体の画像領域１２をカバーしている。有効画像領域１１とは、目視者にとって視覚的に意味のある画像領域である。ブランク領域１４とは、走査のブランク期間に対応する領域である。フレームスイッチャ１から入力される画像信号には、ブランク領域１４のうちの一部、例えば有効画像領域１１の上端に隣接する領域（図４において薄いハッチを施した領域）に、カメラ番号情報などの特定情報１３（図１）が文字・図形等の画像として記録されている。
【００２５】
画像圧縮部２１は、各画面のブランク領域１４を含む画像領域１２について画像信号を圧縮し、圧縮画像信号として出力する。したがって、圧縮画像信号は特定情報１３をも圧縮された形式で含んでいる。画像圧縮部２１が出力する圧縮画像信号は、メモリ２３にバファリングされているときに、領域情報設定部２５ａによって、領域情報が付加される。領域情報とは、有効画像領域１１を指示する情報であり、例えば図５が示す変数Ｗ，Ｈ，ＶＨ，ＶＹ，ＶＷ，ＶＨ，Ｆの組である。圧縮画像信号は、これらの領域情報のうち、変数Ｆを除いたものが付加された形式で、記録部２４へストアされる。変数Ｗ，Ｈ，ＶＨ，ＶＹ，ＶＷ，およびＶＨの定義は、図４および図５に示す通りである。
【００２６】
画像信号処理装置２が通信回線５を媒介して通信する相手である端末装置３から配信要求があると、記録部２４から圧縮画像信号が読み出され、メモリ２３へ一旦バファリングされる。このとき、領域情報設定部２５ａは、変数Ｆを圧縮画像信号へ付加する。変数Ｆは、圧縮画像信号を受信することにより画像を再生する端末装置３が、有効画像領域１１以外の領域を含めて画像の再生を行うべきか、有効画像領域１１のみについて画像の再生を行うべきかをすべきかを指示する指示値である。以下では変数Ｆの値について、前者の場合には「偽」と称し、後者の場合には「真」と称する。変数Ｆは、「０」または「１」の値をとる１ビットのフラグ形式の信号であれば十分であり、「有効画像領域指定フラグ」と仮称される。変数Ｆの値は、画像信号処理装置２を操作するオペレータが設定する。
【００２７】
変数Ｆを含む領域情報が付加された形式の圧縮画像信号は、インタフェース２８によって、図６が例示するパケット形式に変換された上で、通信回線５へ送信される。図６の例では、各パケット信号のヘッダに領域情報が組み込まれている。
【００２８】
画像信号処理装置２は、好ましくは図３が示すように選択部７０を備えている。選択部７０は、例えば画像転送部２２（図２）の一要素として構成され、制御・領域設定部２５の要素である制御部２ｂによって制御される。選択部７０は、記録部２４にストアされる前にメモリ２３にバファリングされている圧縮画像信号と、記録部２４から読み出された後にメモリ２３にバファリングされている圧縮画像信号とのいずれかを、選択してインタフェース２８へ伝える。
【００２９】
画像信号処理装置２の通信相手である端末装置３が、蓄積された圧縮画像信号の配信を要求すると、選択部７０は、記録部２４から読み出された後にメモリ２３にバファリングされている圧縮画像信号を選択し、インタフェース２８へ伝える。一方、端末装置３がリアルタイムの圧縮画像信号の配信を要求すると、選択部７０は、記録部２４にストアされる前にメモリ２３にバファリングされている圧縮画像信号を選択し、インタフェース２８へ伝える。この場合には、領域情報設定部２５ａは、記録部２４にストアされる前にメモリ２３にバファリングされている圧縮画像信号に、変数Ｆを含む領域情報を付加する。したがって、端末装置３がいずれの圧縮画像信号を要求した場合でも、変数Ｆを含む領域情報が付加された形式で圧縮画像信号が配信される。
【００３０】
（端末装置）
図７は、通信回線５を媒介して画像信号処理装置２へ接続して使用される端末装置３の構成を示すブロック図である。端末装置３の主要部である本体部３１は、インタフェース６０、領域情報読取部６１、領域設定部６２、および画像再生部６５を備えている。画像再生部６５は、画像伸張部６３およびデジタルビデオエンコーダ６４を備えている。
【００３１】
図８は、端末装置３の動作手順を示すフローチャートである。端末装置３による処理が開始されると、インタフェース６０がパケット信号を受信する（ステップＳ１）。つぎに、領域情報読取部６１がパケット信号のヘッダに含まれる領域情報、すなわち変数Ｗ，Ｈ，ＶＨ，ＶＹ，ＶＷ，ＶＨ，およびＦの組を読み取る（ステップＳ２）。
【００３２】
領域設定部６２は、領域情報にもとづいて、まず変数Ｆが真であるか偽であるかを判定する（ステップＳ３）。領域設定部６２は、変数Ｆが真であれば、圧縮画像信号の各フレームについて、変数の組（ＶＸ，ＶＹ）で表現される座標位置に伸張開始位置を設定し、伸張すべき幅および高さを、変数の組（ＶＷ，ＶＨ）で表現される値に設定する（ステップＳ４）。逆に変数Ｆが偽であれば、領域設定部６２は、伸張開始位置を座標位置（０，０）に設定し、伸張すべき幅および高さを、変数の組（Ｗ，Ｈ）で表現される値に設定する（ステップＳ５）。
【００３３】
画像伸張部６３は、領域設定部６２が出力する設定信号にしたがって、領域設定部６２が設定した範囲で圧縮画像信号を伸張する。デジタルビデオエンコーダ６４は、画像再生部６３が出力する伸張画像信号をデジタル形式からアナログ形式へ変換する（以上、ステップＳ６）。デジタルビデオエンコーダ６４が出力する伸張後のアナログ画像信号は、ディスプレー３２へ送られ、ディスプレー３２が備える表示画面３３に表示される（ステップＳ７）。端末装置３を操作するユーザが処理終了を指示すれば、処理は終了し、終了の指示がない間は、新たなパケット信号に対してステップＳ１〜Ｓ８の処理が反復される（ステップＳ８）。
【００３４】
したがって、変数Ｆが真（Ｆ＝１とする）であれば、図１または図９に示すように、表示画面３３には有効画像領域１１の画像のみが表示される。この場合には、圧縮画像信号がブランク領域１４の一部に特定情報１３を含んでいても、表示画面３３には特定情報１３は表示されない。一方、変数Ｆが偽（Ｆ＝０とする）であれば、図９に示すように、あるいは図１６の従来技術の例と同様に、表示画面３３には圧縮画像信号に含まれる有効画像領域１１以外の領域を含めた画像が表示される。例えば、圧縮画像信号の各フレームが画像領域１２の全体の信号を含んでいるときには、図９が示すように、表示画面３３には画像領域１２の全体の画像が表示される。このときには、圧縮画像信号がブランク領域１４の一部に特定情報１３を含んでおれば、表示画面３３には特定情報１３も表示される。
【００３５】
ステップＳ６において、画像伸張部６３は、圧縮画像信号の全体について伸張を行い、デジタルビデオエンコーダ６４が、領域設定部６２からの設定信号にしたがって、領域設定部６２が設定した範囲で伸張画像信号を出力しても良い。この場合には、図１０が示すように、画像伸張部６３に備わるビデオラム（ＶＲＡＭ）のメモリ空間６５に、１フレーム分の圧縮画像信号の全体についての伸張画像信号が保持されており、デジタルビデオエンコーダ６４は、メモリ空間６５に保持される信号のうち、領域設定部６２が設定した範囲のみをアナログ形式に変換して出力する。
【００３６】
いずれの場合においても、ステップＳ６において、画像再生部６５が、領域設定部６２からの設定信号にしたがって、領域設定部６２が設定した範囲で伸張画像信号を得る点において、変わりはない。
【００３７】
なお、有効画像領域１１以外の領域の画像は、特定情報１３の有無に関わりなく、表示画面３３を目視するユーザにとっては、通常は意味のない画像である。したがって通常においては、画像信号処理装置２を操作するオペレータは、変数Ｆを「真」に設定するとよい。
【００３８】
また、画像信号処理装置２を、変数Ｆを領域情報に含まないように構成することも可能である。この場合の第１の例として、端末装置３は、領域情報にもとづいて、常に有効画像領域１１のみを表示することも可能である。この場合には、図８のフローチャートにおいて、ステップＳ３およびＳ５を除去して、ステップＳ２の後には常にステップＳ４を実行すると良い。
【００３９】
変数Ｆが領域情報に含まれない場合の第２の例として、端末装置３のユーザの設定に応じて、有効画像領域１１のみの表示と有効画像領域１１以外の領域を含めた表示とを、選択自在に実現するように端末装置３を構成することも可能である。このときには、図８のフローチャートにおいて、ステップＳ３を、ユーザの設定値を判定する処理に置き換えると良い。
【００４０】
実施の形態２．
特定情報１３を必要とするフレームスイッチャ１等へ特定情報１３を含んだ画像信号を送信することを可能にするためには、画像信号処理装置２が備える画像圧縮部２１は、必ずしも図４に示す画像領域１２の全体にわたって圧縮画像信号を出力するものでなくてもよい。すなわち画像圧縮部２１は、ブランク領域１４の少なくとも一部を有効画像領域１１に加えた領域について、圧縮画像信号を出力するものであってもよい。そのいくつかの例を、以下に示す。
【００４１】
図１１に示す例では、ブランク領域１４（図４）のうちの垂直ブランク領域（有効画像領域１１の上下に位置する領域）のみを有効画像領域１１に加えた領域について、圧縮画像信号が生成される。図１２に示す例では、ブランク領域１４（図４）のうちの有効画像領域１１の上方に位置する領域のみを有効画像領域１１に加えた領域について、圧縮画像信号が生成される。図１３に示す例では、ブランク領域１４（図４）のうちの水平ブランク領域（有効画像領域１１の左右に位置する領域）のみを有効画像領域１１に加えた領域について、圧縮画像信号が生成される。図１４に示す例では、ブランク領域１４（図４）のうちの有効画像領域１１の上方に位置し、かつ特定情報１３を含む範囲のみを有効画像領域１１に加えた領域について、圧縮画像信号が生成される。
【００４２】
図１１〜図１４のいずれの場合であっても、変数Ｆが真（Ｆ＝１）であれば、圧縮画像信号のうち有効画像領域１１に対応した領域の再生画像のみが、表示画面３３に表示される。逆に、変数Ｆが偽（Ｆ＝０）であれば、圧縮画像信号に含まれるすべての領域の再生画像が表示される。
【００４３】
【発明の効果】
本発明の画像配信システムのうち画像信号処理装置によれば、ブランク領域の少なくとも一部を含む画像領域について画像信号の圧縮処理が行われ、圧縮画像信号には有効画像領域を指示する領域情報が付加される。このため、圧縮画像信号を受信することにより画像を再生する装置は、領域情報にもとづいて有効領域の画像信号のみを再生することが可能となる。例えば、圧縮の対象とされる画像信号のブランク領域に、特定情報が描き込まれている場合に、特定情報を消去した画像を再生することが可能となる。また、ブランク領域の少なくとも一部を含む画像領域について画像信号の圧縮処理が行われるので、特定情報を必要とする装置では、上記少なくとも一部をも含む画像領域の全体について圧縮画像信号から画像を再生することにより、有効画像領域の画像とともに特定情報をも再生することが可能となる。
【００４４】
さらに、本発明のうち上記画像信号処理装置によれば、ブランク領域の少なくとも一部をも含めて再生すべきか否かを指示する指示値が、領域情報に含められる。このため、圧縮画像信号を受信することにより画像を再生する装置は、上記少なくとも一部をも含む画像領域の画像の再生と、有効画像領域のみの画像の再生とのいずれかを、指示値にもとづいて選択的に実行することが可能となる。例えば、圧縮の対象とされる画像信号のブランク領域に、特定情報が描き込まれている場合には、有効画像領域のみを再生すべく指示する値を指示値に付与することにより、画像を再生する装置では無用な情報を消去した画像を再生することが可能となる。
【００４８】
本発明の画像配信システムのうち端末装置によれば、ブランク領域の少なくとも一部をも含めて再生すべきか否かを指示する指示値を含む領域情報が付加された圧縮画像信号を受信することにより、圧縮画像信号のうち有効画像領域のみに対応した伸張画像信号と上記少なくとも一部を含めた伸張画像信号とのいずれかが選択的に得られる。したがって、圧縮の対象とされる画像信号のブランク領域に、特定情報が描き込まれている場合に、無用な情報を消去した画像を再生することが可能となる。
【００５０】
本発明の画像配信システムによれば、上記画像信号処理装置と上記端末装置とが、通信回線を媒介して接続されるので、圧縮画像信号のうちの有効画像領域のみに対応した伸張画像信号と上記少なくとも一部を含めた伸張画像信号とのいずれかが選択的に得られる。
【図面の簡単な説明】
【図１】  実施の形態１による画像配信システムのブロック図である。
【図２】  実施の形態１による画像信号処理装置のブロック図である。
【図３】  図１の画像信号処理装置の機能表現形式によるブロック図である。
【図４】  図１の画像信号処理装置の動作説明図である。
【図５】  図１の画像信号処理装置の動作説明図である。
【図６】  図１の画像信号処理装置の動作説明図である。
【図７】  図１の端末装置の機能表現形式によるブロック図である。
【図８】  図１の端末装置の動作手順を示すフローチャートである。
【図９】  図１の端末装置の動作説明図である。
【図１０】  図１の端末装置の動作説明図である。
【図１１】  実施の形態２による画像信号処理装置の動作説明図である。
【図１２】  実施の形態２による画像信号処理装置の動作説明図である。
【図１３】  実施の形態２による画像信号処理装置の動作説明図である。
【図１４】  実施の形態２による画像信号処理装置の動作説明図である。
【図１５】  第１の従来例による監視システムのブロック図である。
【図１６】  第２の従来例による監視システムのブロック図である。
【符号の説明】
２  画像信号処理装置
３  端末装置
５  通信回線
１１  有効画像領域
１２  画像領域
１４  ブランク領域
２１  画像圧縮部
２４  記録部
２５ａ  領域情報設定部
６１  領域情報読み取り部
６５  画像再生部
７０  選択部
Ｆ  指示値
【図１】
0004540251.tif 000002
【図２】
0004540251.tif 000003
【図３】
0004540251.tif 000004
【図４】
0004540251.tif 000005
【図５】
0004540251.tif 000006
【図６】
0004540251.tif 000007
【図７】
0004540251.tif 000008
【図８】
0004540251.tif 000009
【図９】
0004540251.tif 000010
【図１０】
0004540251.tif 000011
【図１１】
0004540251.tif 000012
【図１２】
0004540251.tif 000013
【図１３】
0004540251.tif 000014
【図１４】
0004540251.tif 000015
【図１５】
0004540251.tif 000016
【図１６】
0004540251.tif 000017